(57)【要約】      （修正有）【課題】デザイン的にも各々のウエアのイメージを損なわず、大きなデザインの変更無しに、簡易にウエアの引き上がりを実現する。【解決手段】従来のウエアに激しい動作にも対応できるように、引き上がりを防ぐ形状にストレッチ素材を形成して、伸び縮みの方向に深く長い曲線形状にする事により、ストレッチ素材の伸縮域を広げた。【選択図】図１
0003132925.tif 000002
【実用新案登録請求の範囲】
【請求項１】
伸び上がり動作や前屈み動作によるウエアの引き上がりを防ぐ事を目的とし、スポーツウエアやアウトドアウエア、日常のウエアの引き上がりを防ぐ形状にストレッチ素材を形成した事を特徴とするウエア。
【請求項２】
前記のストレッチ素材の形状は、引き上がり動作の方向に対してストレッチ素材を、深く長く曲線的な形状使いとする事で、動作の方向に対しての伸縮自在な可能域を広げ、ウエアの引き上がりを防ぐことを可能とした請求項１に記載のウエア。
【考案の詳細な説明】
【技術分野】
【０００１】
従来のスポーツウエアやアウトドアウエア、日常的なウエアには、各々の動作に応じた機能が付加されたものが多い。例えば前屈みになるような動作や伸び上がるという動作に対して、ウエスト部や袖口などにストレッチ素材を取り付け、前屈みや伸び上がった動作によるウエアの引き上がりを防ぐ工夫がされている。また近年では、ストレッチ素材の開発も盛んで、それらを伸縮させたい部分に部分的に使ったり、ウエア全体をストレッチ素材にして、伸びたり捻ったり屈んだりという動作に対応させて、ウエアの素材が伸縮しない事での動きにくさを解決しようとしているものがある。
本考案は、これらのウエアに於いて、強度な伸び上がりや前屈動作などによるウエアの動作方向への引き上がりを防ぐ形状にストレッチ素材を形成したことに関するものである。
【背景技術】
【０００２】
伸び上がる動作や前屈みなどの動作に対しては、その素材が伸縮性のある物で無い限り、ウエアも動作の方向に引き上げられてしまう。これを防ぐために、ウエスト部分にベルト状にストレッチ素材を取り付けたり、絞り込んだり、リブ編み、フライスなどのストレッチ素材を取り付けて伸縮性を持たせてウエアが引き上がる事を防ごうとする対応がなされている。
【０００３】
しかし、これらの方法は、軽度の動作に対応されているもので、強い動作に対する引き上がりを防ぐ為の解決策にはなっていないのが現状であり、課題である。
【特許文献１】特願２０００―１６１１７７
【特許文献２】特願平７―２７６５２１
【考案の開示】
【考案が解決しようとする課題】
【０００４】
解決しようとする課題は、従来の方法で提供されているものの多くが、決まった運動や動作に対して、その運動や動作時の動作の形態に合わせた形状に形成したウエアであるという点である。
【０００５】
従来品では、軽い腕延ばし程度の伸び縮み動作では、ウエアの引き上がりはウエスト回りのリブ編み、フライスなどのストレッチ素材の使用で多少カバーされている。しかし日常動作の中でも、強度な腕伸ばし、オートバイや自転車に前屈みの姿勢で乗る、スポーツの動作、強い伸び上がりや前屈み状態となると、従来のストレッチ素材の形状では動作に対しての引き上がりを防ぐ事が出来ず、特に腰から背中側への引き上がりが強く起こってしまうという問題がある。
【０００６】
これらを解決するために、例えばウエアのウエスト部や袖口に使われるストレッチ素材のリブ編やフライスなどの素材の巾を広くする、絞り具合を強くする、或いは引き上がり解決の為にサイズを一回り大きな物にするなどの対応がなされるが、これらは着心地や機能性、デザイン性、ファッション性などからみても解決の為には問題点が多いのが現状である。
【課題を解決するための手段】
【０００７】
本考案は、従来品に於いて、既存のストレッチ部の引き上がりを防ぐ形状にその素材を形成する、という簡易な方法により、動作方向に対するウエアの引き上がりを防ぎ、伸縮自在な可動域を広げる事を提供しようとするものである。
【０００８】
また、本考案は、サイズやデザインを大きく変えるという作業を伴わずに、問題点を解決する事を特徴とする。
【考案の効果】
【０００９】
従来品ではストレッチ素材をウエア全体に使用する、腕や胸、肘や膝に伸び縮みの動作部位に対して部分的にストレッチ素材を繋いで動作に対応させようという形状である。しかし、日常生活の中で、オートバイや自転車に前屈みになって乗る、強い腕伸ばしや伸び上がりという動作には、従来のストレッチ素材も機能を果たせずに、ウエアの引き上がりが生じてしまう。その為ストレッチ素材全体の巾を広くする、強い絞り込みやサイズを一回り大きくするという対応がなされているが、本考案は、従来のウエアに、激しい動作にも対応できる形状にストレッチ素材を伸び縮みの方向に深く長く曲線的に形成する事で、ストレッチ素材の伸縮域を広げることを可能とし、デザイン的にも各々のウエアのイメージを損なわないことを特徴とする。
【００１０】
また本考案は、スポーツウエアやアウトドアウエア、日常使いのウエアのデザインを大きく変える事なく、簡易に問題の解決を図る事を実現する効果を得ることができる。
【考案を実施するための最良の形態】
【００１１】
本考案は、従来のウエアに激しい動作にも対応できるように、引き上がりを防ぐ形状にストレッチ素材を形成して、伸び縮みの方向に深く長い曲線形状にする事により、ストレッチ素材の伸縮域を広げる事を特徴とし、デザイン的にも各々のウエアのイメージを損なわず、大きなデザインの変更無しに、簡易に問題解決を実現するものである。
【実施例】
【００１２】
以下本考案の実施形態を図１に基づいて説明する。説明には、一般的なブルゾンを実施形態の例として記載する。
【００１３】
１は実施例の背面図であり、従来品のストレッチ素材が取り付けられている部位２を示すものである。
【００１４】
図１において、２のストレッチ素材を動作の方向に対して、背面センター部３の様に２の形状を深く長く曲線的に形成する事を特徴とし、この３の形状により、より伸縮自在な可動域を動作の方向に広げる事を可能とした。
【産業上の利用可能性】
【００１５】
日常のウエアから、スポーツウエア、アウトドアウエアに至る伸び上がりや前屈み動作などにより起こるウエアの特に腰から背中側に起こる引き上がりを防ぐ事を可能とし、これらのウエア全般のデザインを大きく変更するという弊害も無く、ある程度フィット感のあるウエアのデザインに於いても、簡易にウエアの引き上がりを防ぎ、伸縮自在な可動域を広げることを可能とした。
【図面の簡単な説明】
【００１６】
【図１】本実施形態を示すウエアのストレッチ素材取り付け形状を示す図
【符号の説明】
【００１７】
１、   本考案の実施例のブルゾン背面部
２、   一般的なウエアのストレッチ素材が使われている部位
３、   ストレッチ素材を動作方向に対して深く長く曲線的に形成した図
【図１】
0003132925.tif 000003
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
伸び上がり動作や前屈み動作によるウエアの引き上がりを防ぐ事を目的とし、スポーツウエアやアウトドアウエア、日常のウエアの引き上がりを防ぐために、従来のウエアに取り付けられているストレッチ素材形状を、伸び縮みの方向に深く長い曲線形状にストレッチ素材を形成した事を特徴とするウエア。
【請求項２】
前記のストレッチ素材の形状は、従来のウエスト部にベルト状に取り付けられたストレッチ素材を、動作の方向に対してそのセンター部の形状を深く長く曲線的な形状使いとする事で、動作の方向に対しての伸縮自在な可能域を広げ、ウエアの引き上がりを防ぐことを可能とした請求項１に記載のウエア。
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
伸び上がり動作や前屈み動作によるウエアの引き上がりを防ぐ事を目的とし、スポーツウエアやアウトドアウエア、日常のウエアの引き上がりを防ぐために、ウエアに取り付けられているストレッチ素材形状を、伸び縮みの方向に深く長い曲線形状にストレッチ素材を形成した事を特徴とするウエア。
【請求項２】
前記のストレッチ素材の形状は、ウエスト部にベルト状に取り付けられたストレッチ素材を、動作の方向に対してそのセンター部の形状を深く長く曲線的な形状使いとする事で、動作の方向に対しての伸縮自在な可能域を広げ、ウエアの引き上がりを防ぐことを可能とした請求項１に記載のウエア。